(57)【要約】【課題】施工が簡単で、施工後の取付強度に優れ、特別に高い加工精度、施工精度を必要とせず、前框と棚板本体との接合箇所において、たとえ若干の段差が生じても寝具の出し入れで寝具を引っ掻いて破損させたりする問題が発生せず、さらに、前框と棚板本体との接合箇所で見苦しい隙間が発生せず、しかも長期耐久性能に優れた棚板を安価に提供する。【解決手段】平板状の棚板本体と該棚板本体の前端部に略垂直に設けられた前框とからなる棚板であって、前記前框の裏面上角部に前框の長手方向に沿って切欠段部と突出部が設けられ、該切欠段部に前記棚板本体の前端部を係止するための係止手段が設けられるようにした。【選択図】        図２
2005042349.tif 000002
【特許請求の範囲】
【請求項１】
平板状の棚板本体と該棚板本体の前端部に略垂直に設けられた前框とからなる棚板であって、前記前框の裏面上角部に前框の長手方向に沿って切欠段部と、前框上端部に突出部が設けられ、該切欠段部に前記棚板本体の前端部を係止するための係止手段が設けられていることを特徴とする棚板。
【請求項２】
前記前框の切欠段部によって形成された突出部の上端面角部及び棚板本体前端部上角部に面取りが施されていることを特徴とする請求項１に記載の棚板。
【請求項３】
前記前框の突出部裏面に前框表面側へ傾斜する向きの傾斜面が設けられ、前記棚板本体の前端部木口面に棚板本体の後端部へ傾斜する向きの傾斜面が設けられていることを特徴とする請求項１又は２に記載の棚板。
【請求項４】
前記係止手段が、前記前框の長手方向に沿って間隔をおいて複数箇所設けられ、前記間隔が前框の長手方向の両端部の近傍以外においては広目に設けられており、前框の両端部の近傍においては、それよりも狭い間隔で設けられていることを特徴とする請求項１〜３のいずれかに記載の棚板。
【請求項５】
前記係止手段が前記前框の切欠段部の底面及び前記棚板本体の前端部近傍裏面に設けられたダボ穴を利用したダボ接合であることを特徴とする請求項１〜４のいずれかに記載の棚板。
【請求項６】
前記前框の切欠段部に前記棚板本体の前端部を係止させた後、前框裏面及び棚板本体裏面を開き角度が９０度よりも若干大きな鈍角を有する断面形状が略Ｌ字型の係止具で係止することを特徴とする請求項１〜５のいずれかに記載の棚板。
【発明の詳細な説明】
【０００１】
【発明の属する技術分野】
本発明は住宅等の建築物の押入等の収納スペ−ス内部の棚板に関する。
【０００２】
【従来の技術】
住宅の押入等の収納スペ−ス内部に取り付けられる棚板は、押入の高さ方向のほぼ中央に取り付ける、いわゆる押入中段と、押入の天袋位置に取り付ける、いわゆる枕棚の２タイプがある。いずれのタイプにおいても、図５に示すように、従来、押入内部の棚板１１は、前框１２、後框１３、棚板本体１４の他に、棚板本体１４を支えるための複数本の根太１５を用意し、前框１２と後框１３に根太１５を嵌合させる切り込み段部１７を形成し、前框１２、後框１３を押入内部の柱に釘Ｊで固定し、前框１２、後框１３の前記切り込み段部１７に根太１５を載置固定し、上から棚板本体１４を前框１２、後框１３、根太１５に釘Ｊで固定する構造となっていた。
【０００３】
このような、従来構造では、部材点数が非常に多く、しかも各部材の加工箇所が多く、施工に大変な手間がかかっていた。さらに狭い押入内部での細かな作業は大変しづらく、施工性に劣るものとなっていた。また、施工性以外に棚板本体１４表面に釘打ちする構造ゆえ、長期間使用後において、釘Ｊが浮き上がって、寝具を引っ掻いたり、釘Ｊに錆が発生して寝具を汚染したりすることが多々あった。
【０００４】
そこで、これらの点を改良したものとして、前框の後上部に欠き込み段部と係合溝を設け、フラッシュ構造の棚板本体の前端部近傍の下面に設けた凹溝でもって形成されたフック部を前記係合溝に係合させる構造の押入の中段棚がある。（例えば、特許文献１参照）
【特許文献１】
実公平７−４１７８３号公報（第１−５頁、第１図、第４図）
【０００５】
【発明が解決しようとする課題】
しかしながら、上記実公平７−４１７８３号公報に記載の押入中段棚においては、前框上面には面取りされている部分が存在するが、棚板前面には面取りが施されていない。従って、前框後上部の欠き込み段部と係合溝を加工する際の加工精度が重要で、且つ棚板そのものの厚み不同も無視できず、これらの加工精度が極めて高くないと以下の問題が生じる。すなわち、これらの誤差を考慮すると前框上面よりも棚板上面の位置が高くなってしまうことも多々あり、棚板前面に面取りが施されていないので寝具の出し入れ時に引っ掻いて破損させる恐れがあった。
【０００６】
また、加工精度が悪く前框上面と棚板とで段差が生じた時に棚板前面に面取りが施されていないので段差が目立ち易い。もし棚板前面に面取りが施されていると、前框上面に施された面取りと棚板前面の両方に面取りが施されることになるので前記段差が目立ちにくい。
【０００７】
上記実公平７−４１７８３号公報に記載の押入中段棚においては、棚板前面は前倒しの斜面に形成されているが、前框の欠き込み段部の後向きの面には傾斜面が形成されていない。従って、前記加工精度が少しでも低いと、いかに棚板前面が前倒しの斜面に形成されていても、場合によっては、前框上面と棚板前面との間で隙間が生じることがある。もし、前框の欠き込み段部の後向きの面に傾斜面が形成されていると、前框上面と棚板前面との間の隙間が生じにくくなる。
【０００８】
上記実公平７−４１７８３号公報に記載の押入中段棚においては、施工完了後における使用状態において、棚板上面に重量物を載置することも多々考えられるが、上からの荷重を受ける箇所が前框の欠き込み段部上面と係合溝の底面であり、前記加工精度が極めて高くないと、上からの荷重が欠き込み段部上面と係合溝の底面の両方にバランス良くかからず、いずれか一方に負荷が偏ってかかることがある。この場合、前框及び棚板を構成する材料として木質材料の場合は、よほど硬質の堅木で構成しないと長期耐久性能に劣るものとなる。硬質の堅木を使用すると加工が大変しづらく製造工程で問題となるばかりかコスト的にも不利なものとなる。
【０００９】
本発明の目的は、施工が簡単で、施工後の取付強度に優れ、特別に高い加工精度、施工精度を必要とせず、前框と棚板本体との接合箇所において、たとえ若干の段差が生じても寝具の出し入れで寝具を引っ掻いて破損するなどの問題が発生せず、さらに、前框と棚板本体との接合箇所で見苦しい隙間が発生せず、しかも長期耐久性能に優れた棚板を安価に提供することにある。
【００１０】
【課題を解決するための手段】
上記目的を達成するために、本発明に係る請求項１に記載の発明は、平板状の棚板本体と該棚板本体の前端部に略垂直に設けられた前框とからなる棚板であって、前記前框の裏面上角部に前框の長手方向に沿って切欠段部と、前框上端部に突出部が設けられ、該切欠段部に前記棚板本体の前端部を係止するための係止手段が設けられていることを特徴とする。
【００１１】
係る構成から、前記前框の切欠段部に前記棚板本体を載置し且つ係止手段でもって係止する構成であるので、現場での施工が簡単で、しかも取付後の強度も高く、長期耐久性能にも優れた安価な棚板が可能となる。
【００１２】
本発明の請求項２に記載の発明は、請求項１に記載の棚板において、前記前框の切欠段部によって形成された突出部の上端面角部及び棚板本体前端部上角部に面取りが施されていることを特徴とする。
【００１３】
係る構成から、現場で前框と棚板本体を取付施工する際に、特別に高い加工精度や施工精度を必要としないで、前框と棚板本体との接合箇所に、若干の段差が生じたとしても、前框の前記突出部上端面角部及び棚板本体前端部上角部に面取りが施されているので、寝具などの出し入れで寝具を引きずっても寝具を引っ掻いて破損する恐れがなくなる。
【００１４】
本発明の請求項３に記載の発明は、請求項１又は２に記載の棚板において、前記前框の突出部裏面に前框表面側へ傾斜する向きの傾斜面が設けられ、前記棚板本体の前端部木口面に棚板本体の後端部へ傾斜する向きの傾斜面が設けられていることを特徴とする。
【００１５】
係る構成から、前記前框の突出部裏面側に前框の表面側へ傾斜する向きの傾斜面が形成されており、しかも、前記棚板本体の前端部の木口面においても棚板本体の後端部へ傾斜する向きの傾斜面が形成されている。このように前框と棚板本体の接合箇所の前框と棚板本体両方に傾斜面が設けられ、接合箇所の断面で見て略三角形状の空隙部が形成される。従って、前框と棚板本体の接合箇所において、上から見ると隙間が見えず、棚板本体の厚さ方向の深部へいくほど断面で見て前記空隙部が大きく形成されるような形状となっている。従って、前框と棚板本体との接合箇所で見苦しい隙間が発生することが有効に防止できる。
【００１６】
本発明の請求項４に記載の発明は、請求項１〜３のいずれかに記載の棚板において、前記係止手段が、前記前框の長手方向に沿って間隔をおいて複数箇所設けられ、前記間隔が前框の長手方向の両端部の近傍以外においては広目に設けられており、前框の両端部の近傍においては、それよりも狭い間隔で設けられていることを特徴とする。
【００１７】
係る構成から、前框及び棚板本体を取付施工現場の間口寸法に合わせて切断する必要が生じた場合、前框の両端部の近傍においては、前框のそれ以外の箇所よりも狭い間隔で係止手段が設けられているので、細かな寸法で前框を切断して間口寸法合わせが可能となる。切断後の前框の両端部には係止手段が残存するようにしておかないと取付後の強度が不足する。前框を切断する可能性が高い両端部近傍に係止手段を狭い間隔で数多く設けておくことで前框切断可能箇所の選択の幅が増える。従って間口対応のし易いものとなる。
【００１８】
本発明の請求項５に記載の発明は、請求項１〜４のいずれかに記載の棚板において、前記係止手段が前記前框の切欠段部の底面及び前記棚板本体の前端部近傍裏面に設けられたダボ穴を利用したダボ接合であることを特徴とする。
【００１９】
係る構成から、前框と棚板本体の接合箇所における係止手段がダボ接合であるので、工場での加工及び現場での施工が簡単で、しかも、棚板本体に重量物が載置された場合、上からの荷重が前框の切欠段部の底面全面で受けることができるので、取付強度に優れたものとなる。従って、木質製の場合、前框や棚板本体を特別に硬質の堅木を使用しなくてもよいので、工場での製造工程も特別の機械装置等を必要とせず、従ってコスト的にも有利なものとなる。さらに長期耐久性能にも優れたものとなる。
【００２０】
本発明の請求項６に記載の発明は、請求項１〜５に記載の棚板において、前記前框の切欠段部に前記棚板本体の前端部を係止させた後、前框裏面及び棚板本体裏面を開き角度が９０度よりも若干大きな鈍角を有する断面形状が略Ｌ字型の係止具で係止することを特徴とする。
【００２１】
係る構成から、前框の切欠段部と棚板本体の前端部を係止させて断面形状が略Ｌ字型の棚板を構成した後、前框裏面側と棚板本体裏面側を断面形状略Ｌ字型を有する係止具で係止固定した際、前記略Ｌ字型係止具の開き角度を９０度よりも若干大きな鈍角としているので、棚板本体上面を水平に保持固定し、前記略Ｌ字型係止具を利用して前框と棚板本体を固定すると、その時の固定力で略Ｌ字型係止具の開き角度の９０度を超える角度分だけ前框下端部が手前へ向けて若干量せり出してくる。従って、前框の切欠段部の突出部上面と棚板本体の前端部上角との間で生じ易い隙間が消失する方向に力が働くので、前框と棚板本体の接合部における見苦しい隙間の解消及び前框と棚板本体の取付強度にとって、よりいっそう好適となる。
【００２２】
【発明の実施の形態】
以下、本発明の実施の形態の一例を図面に従って説明する。図１は本発明に係る棚板の実施の形態の一例を示す斜視図で、取付施工状態を示す。図２は図１におけるＡ−Ａ線拡大断面図、図３は本発明の棚板のダボの位置と間隔の一例を示す斜視図で、図４は本発明の棚板の他の実施形態の一例を示す断面図で、図５は従来の棚板を示す側断面図である。
【００２３】
図１において、本発明の棚板１の取付状態が示されており、押入収納スペ−スの中段又は枕棚取付施工箇所前面の柱５等の構造躯体に本発明の棚板１の前框２の左右両端部が釘Ｊ、木ネジＮ、木工用接着剤等（図示せず）の固着手段を用いて、又はそれらの併用で、取付固定されている。この時、前框２の間口方向の水平度に注意して傾き等が生じないようにすることが大切である。前記木工用接着剤としては、ユリア樹脂系接着剤、メラミン樹脂系接着剤、ユリアメラミン共縮合樹脂系接着剤、ウレタン樹脂系接着剤、酢酸ビニル樹脂系接着剤等又はこれら以外の木工用接着剤等が好適に用いられる。もちろん、釘Ｊや木ネジＮとこれらの接着剤を併用することもできる。
【００２４】
本発明の棚板１を取り付ける押入収納スペ−スの左右の壁面に左右の受け桟４ａが取り付けられ、押入収納スペ−スの奥側の壁面に奥側の受け桟４ｂが取り付けられている。固着手段としては、前框２と同様に釘Ｊ、木ネジＮ、木工用接着剤又はこれらを併用して取り付けられている。左右の受け桟４ａ、奥側の受け桟４ｂと前框２とは互いに水平度が十分確保されるように注意が必要である。押入収納スペ−スの間口寸法が狭い場合、例えば間口約３００ｍｍ〜４５０ｍｍ程度よりも小さい場合で、重量物を収納しない場合は、奥側の受け桟４ｂを省略することも場合によっては可能である。
【００２５】
前框２及び左右の受け桟４ａ、奥側受け桟４ｂによって支えるようにして棚板本体３が取付固定されている。前框２と棚板本体３とは本発明の係止手段６（図示せず）によって取付固定されている。左右受け桟４ａ及び奥側受け桟４ｂと棚板本体３とは木ネジＮ、釘Ｊ、木工用接着剤等又はこれらの併用で取付固定されている。また、左右及び奥側の壁面と接する箇所においては、雑巾摺ｒが取付されている。この雑巾摺ｒは必ずしも必要な部材ではない。有った方が壁際における棚板本体３と壁面との隙間を隠蔽することが可能で、仕上がりが向上する。
【００２６】
図２において、前框２の裏面側の上角部に前框２の長手方向に沿って切り欠いた形状の切欠段部２ａが形成され、該切欠段部２ａによって前框２の上部は突出部Ｔが形成されている。前記切欠段部２ａに前記棚板本体３の前端部を係止するための係止手段６が設けられている。係止手段６としては、木工用接着剤、ダボ接合、本実又は雇実による接合、接続金具、両面接着テ−プ、磁石等による接合等さまざまな係止手段を例示できる。本例では、木ダボによる接合の例を示す。
【００２７】
また、前記前框２の切欠段部２ａによって形成された前框２の上部の突出部Ｔの上端面２ｂの角部、及び棚板本体３の前端部上角部に面取りＭが施されている。該面取りＭはＣ面でも良いし、またＲ面でも良い。面取りＭの大きさは小さ過ぎると寝具の出し入れ時の寝具の破損を防止する面取り効果が低下するし、また、大き過ぎると面取り箇所に埃が溜まるので、Ｃ面の場合で約０．２〜３．０ｍｍ程度、Ｒ面の場合、半径で約０．２〜３．０ｍｍ程度が好適である。また、突出部Ｔの上端面２ｂの角部に面取りする場合、該突出部Ｔの表裏面のいずれか片方でも良いが、表裏両面に面取りＭが施されていることが望ましい。
【００２８】
このように、現場で前框２と棚板本体３を取付施工する際に、特別に高い加工精度や施工精度を必要としないで、前框２と棚板本体３との接合箇所の間において、若干の段差が生じたとしても、前框２の前記突出部Ｔの上端面２ｂの角部及び棚板本体３の前端部上角部に面取りＭが形成されているので、寝具などの出し入れで寝具を引きずっても、寝具を引っ掻いて破損したりする恐れがなくなる。
【００２９】
このように、前記面取り部Ｍは、前框２の突出部Ｔの上端面２ｂの角部と棚板本体３の前端部の上角部の両方に形成する。
【００３０】
また、前記前框２の突出部Ｔの裏面に前框２の表面側へ傾斜する向きの傾斜面Ｋが設けられ、及び前記棚板本体３の前端部木口面に棚板本体３の後端部へ傾斜する向きの傾斜面Ｋが設けられている。前框２の切欠段部２ａに棚板本体３の前端部を載置して係止した際に、断面で見て前記突出部Ｔの裏面と前記棚板本体３の前端部との間において、この両方の傾斜面Ｋによって下方へ広がる略三角形状の空隙部Ｕが形成され、前記突出部Ｔの裏面上部と前記棚板本体３の前端部の木口面の上部とは隙間無く密着することになる。
【００３１】
このようにして、前框２と棚板本体３の接合箇所において、上から見ると隙間が見えず、棚板本体３の厚さ方向の深部へいくほど断面で見て前記空隙部Ｕが広がって大きく形成されるような形状となっている。従って、前框２と棚板本体３との接合箇所で見苦しい隙間が発生することが有効に防止できる。
【００３２】
図３において、前記係止手段６がダボＢによる接合の例を示す。ダボ接合以外の係止手段６の場合もそうであるが、前記係止手段６は前框２の切欠段部２ａの長手方向の全長に亘って設けられていても良いし、また、ある間隔をおいて、飛び飛びに設けられていても良い。前記間隔は一定間隔であっても良いが、前框２の切欠段部２ａの長手方向の両端部の近傍以外においては広目に設け、前框２の両端部の近傍においては、それよりも狭い間隔で設けるようにすると、棚板１の間口寸法対応がより柔軟になり、押入収納スペ−スの間口寸法が施工現場毎にさまざま異なっていても、きめ細かな対応が可能となる。
【００３３】
すなわち、前框２及び棚板本体３を取付施工現場の間口寸法に合わせて切断する必要が生じる場合が多々あるが、その場合、前框２の両端部の近傍においては、前框２の両端部近傍以外の箇所よりも狭い間隔で、係止手段６が設けられているので、細かな寸法で前框２を切断しても前框２の両端部に係止手段６が残存するように切断することができる。切断後の前框２の両端部には係止手段６が残存するようにしておかないと取付後の強度が不足する。前框２を切断する可能性が高い両端部近傍に係止手段６を狭い間隔で数多く設けておくことで前框２切断可能箇所の選択の幅が増える。従って間口対応のし易いものとなる。このようにして、きめ細かな間口寸法合わせが可能となる。
【００３４】
また、前記係止手段６がダボＢとダボ穴Ｈとの嵌合力を利用した係止手段６であり、前記前框２の切欠段部２ａの底面と棚板本体３の前端部近傍裏面にダボ穴Ｈが設けられている。前框２と棚板本体３の接合箇所において、係止手段６がダボＢとダボ穴Ｈの嵌合力を利用したダボ接合であるので、工場での加工及び現場での施工が簡単で、しかも、棚板本体３に重量物が載置された場合、上からの荷重が前框２の切欠段部２ａの底面全面で受けることができるので、取付強度に優れたものとなる。従って、棚板１が木質製の場合、前框２や棚板本体３を特別に硬質の堅木を使用しなくてもよいので、工場での製造工程も特別の機械装置等を必要とせず、従ってコスト的にも有利なものとなる。さらに長期耐久性能にも優れたものとなる。また、前記ダボＢは木ダボが好適であるが、木ダボ以外にプラスチック製のダボ、金属製のダボ等を用いることができる。
【００３５】
図４において、前記前框２の切欠段部２ａに棚板本体３の前端部を載置し係止させた後、前框２の裏面及び棚板本体３の裏面を開き角度が９０度よりも若干大きな鈍角を有する断面形状略Ｌ字型の係止具Ｐで係止されている。
【００３６】
前框２の切欠段部２ａと棚板本体３の前端部を係止させて断面形状が略Ｌ字型の棚板１を構成した後、前框２の裏面側と棚板本体３の裏面側を断面形状略Ｌ字型を有する係止具Ｐで係止固定した際、前記略Ｌ字型係止具Ｐの開き角度を９０度よりも若干大きな鈍角としているので、棚板本体３上面を水平に保持固定し、前記略Ｌ字型係止具Ｐを利用して前框２と棚板本体３を固定すると、その時の固定力で略Ｌ字型係止具Ｐの開き角度の９０度を超える角度部分αだけ前框２の下端部が棚板１を正面から見て、手前へ向けて若干量せり出してくる。
【００３７】
従って、前框２の切欠段部２ａの突出部Ｔの上端面２ｂと棚板本体３の前端部上角部との間で生じ易い隙間が消失する方向に力が働くので、前框２と棚板本体３の接合部における見苦しい隙間がよりいっそう解消する。さらに、前框２と棚板本体３の取付強度にとっても、よりいっそう好適となる。
【００３８】
前記係止具Ｐはステンレス、アルミ、亜鉛メッキ鋼板、その他の薄物鋼板、真鍮、その他金属製の他、硬質塩ビ、ＡＢＳ樹脂等の合成樹脂成型体等が好適なものとして例示できる。前記係止具Ｐの板厚は約０．５〜３．０ｍｍ程度で、略Ｌ字型の形状を有し、開き角度は約９０度〜１０５度程度の範囲が前記隙間解消にとって好適である。略Ｌ字型係止具Ｐの開き角度の９０度を超える角度部分αは０度〜１５度程度が好適である。略Ｌ字型係止具Ｐの開き角度の９０度を超える角度部分αがゼロに近い場合、すなわち開き角度が９０度に近い場合、前記隙間解消効果が低下し、逆に大き過ぎると、前框２が前方へ大きくせり出してくるので棚板１の使い勝手が悪くなる。取付実験した結果、係止具Ｐの開き角度は金属製の場合、１例として、ステンレスの場合で約９５度程度が最適であった。また、薄物鋼板の場合は１０５度程度が最適であった。
【００３９】
また、前記前框２の切欠段部２ａに設けた係止手段６と、前記略Ｌ字型係止具Ｐを併用すると前記したように、前框２と棚板本体３の前端部との隙間の解消と前框２と棚板本体３の取付強度にとって、よりいっそう好適であるが、前記略Ｌ字型係止具Ｐのみを用いても、前記隙間と取付強度にとって有効である。
【００４０】
【発明の効果】
以上のように、本発明によれば、前框の突出部上端面角部及び棚板本体前端部上角部に面取りが施されているので、寝具などの出し入れで寝具を引きずっても、寝具を引っ掻いて破損する恐れがなくなる。
【００４１】
また、前框突出部裏面側と棚板本体前端部の両方に傾斜面が設けられ、接合箇所の断面で見て下方へ広がる略三角形状の空隙部が形成されるようにしたので、前框と棚板本体の接合箇所において上から見ると隙間の発生を有効に防止できる。
【００４２】
また、前框の両端部の近傍においては、前框のそれ以外の箇所よりも狭い間隔で前框と棚板本体を係止するための係止手段が設けられているので、棚板１を取付スペ−スに合わせて切断する時、切断後の前框の両端部には係止手段が残存するようにできるので、細かな寸法で前框を切断して間口寸法合わせが可能となり間口対応のし易いものとなる。
【００４３】
また、前框と棚板本体の接合箇所における係止手段がダボ接合であるので、工場での加工及び現場での施工が簡単で、取付強度に優れたものとなり、棚板が木質製の場合、前框や棚板本体を特別に硬質の堅木を使用しなくてもよいので、工場での製造工程も特別の機械装置等を必要とせずコスト的にも有利で、しかも長期耐久性能にも優れたものとなる。
【００４４】
前框裏面側と棚板本体裏面側を断面形状略Ｌ字型で開き角度が９０度よりも若干大きな鈍角を有する係止具で係止固定すると、棚板本体上面を水平に保持固定した際に前框と棚板本体の固定力で略Ｌ字型係止具の開き角度の９０度を超える角度分だけ前框下端部が棚板を正面から見て、手前へ向けて若干量せり出してくるので、前框と棚板本体との間の隙間が消失する方向に力が働き、隙間解消にとってよりいっそう好適である。
【図面の簡単な説明】
【図１】本発明の棚板の実施形態の一例を示す斜視図。
【図２】図１におけるＡ−Ａ線拡大断面図。
【図３】本発明の棚板のダボ位置とダボ間隔の一例を示す斜視図。
【図４】本発明の棚板の他の実施形態の一例を示す断面図。
【図５】従来の棚板を示す断面図。
【符号の説明】
１      棚板
２      前框
２ａ    切欠段部
２ｂ    突出部上端面
３      棚板本体
４ａ    左右受け桟
４ｂ    奥側受け桟
５      柱
６      係止手段
Ｔ      突出部
Ｋ      傾斜面
Ｍ      面取り部
Ｕ      空隙部
Ｂ      ダボ
Ｈ      ダボ穴
ｒ      雑巾摺
Ｊ      釘
Ｐ      係止具
Ｎ      木ネジ
α      係止具の開き角度で９０度を越える角度部分
１１    従来の棚板
１２    従来の前框
１３    従来の後框
１４    従来の棚板本体
１５    従来の根太
１６    従来の雑巾摺
１７    従来の切り込み段部
【図１】
2005042349.tif 000003
【図２】
2005042349.tif 000004
【図３】
2005042349.tif 000005
【図４】
2005042349.tif 000006
【図５】
2005042349.tif 000007